Podtech/llm-jp-corpus-v4-ja_patent huggingface dataset:
【手続補正書】
【提出日】平成22年1月19日(2010.1.19)
【手続補正１】
【補正対象書類名】特許請求の範囲
【補正対象項目名】全文
【補正方法】変更
【補正の内容】
【特許請求の範囲】
【請求項１】
削岩作業において穿孔機（２０）の伸縮型フィーダー（３０）の下方ビーム（５０）と共に用いる上方ビーム（４０）であって、長手方向軸線に沿ってのび、そしてほぼＵ字形の横断面をもち、底壁（６０）と、第１側壁（７０）と、第２側壁（８０）とを有し、各側壁（７０、８０）が内面（９０）と外面（１００）とを備え、また、下方ビーム（５０）と摺動共動する共動部材（１１０）を有する上方ビーム（４０）において、
上記共動部材（１１０）が、各側壁（７０、８０）の各外面（１００）から外方へのびる取付け手段（１２０）を備え、各取付け手段（１２０）がクランクブロックブラケット（１３０）を固定取付けするように構成され、上記クランクブロックブラケット（１３０）が各側壁（７０、８０）の外面（１００）と対向していること
を特徴とする上方ビーム（４０）。
【請求項２】
クランクブロックブラケット（１３０）が摺動面（１７０）を備え、上記摺動面（１７０）が各側壁（７０、８０）の外面（１００）と対向していることを特徴とする請求項１記載の上方ビーム（４０）。
【請求項３】
上記摺動面（１７０）がポリウレタン叉はポリエチレンで構成されていることを特徴とする請求項２記載の上方ビーム（４０）。
【請求項４】
上記共動部材（１１０）が、上方ビーム（４０）の僅かな部分に沿って、好ましくは上方ビーム（４０）の１／２０に沿って設けられていることを特徴とする請求項１〜３のいずれか一項記載の上方ビーム（４０）。
【請求項５】
上記共動部材（１１０）が、上方ビーム（４０）に沿ったそれぞれ二つの異なる位置において、両側壁（７０、８０）に設けられていることを特徴とする請求項１〜４のいずれか一項記載の上方ビーム（４０）。
【請求項６】
下方部分（１０２）と上方部分（１０４）とを有し、下方ビーム（５０）と摺動共動する間、下方部分（１０２）が下方ビーム（５０）内で動くように構成され、また上方部分（１０４）が下方ビーム（５０）上に突出するように構成され、上方部分（１０４）にと取付け手段（１２０）が設けられていることを特徴とする請求項１〜５のいずれか一項記載の上方ビーム（４０）。
【請求項７】
押出しアルミニウム形材で構成されることを特徴とする請求項１〜６のいずれか一項記載の上方ビーム（４０）。
【請求項８】
取付け手段（１２０）が押出しアルミニウム形材で構成されることを特徴とする請求項１〜７のいずれか一項記載の上方ビーム（４０）。
【請求項９】
ほぼＵ字型の下方ビーム（５０）を有し、請求項１〜８のいずれか一項記載の上方ビームを有することを特徴とする削岩用穿孔機（２０）用の伸縮型フィーダー（３０）。
【請求項１０】
穿孔機（２０）を有し、請求項９記載の伸縮型フィーダー（３０）を有することを特徴とする削岩用穿孔装置（１０）。
【手続補正書】
【提出日】平成22年2月8日(2010.2.8)
【手続補正１】
【補正対象書類名】特許請求の範囲
【補正対象項目名】全文
【補正方法】変更
【補正の内容】
【特許請求の範囲】
【請求項１】
低アセトアルデヒド発生率を有するポリエステル樹脂の製造方法であって、
錫およびアンチモンの存在下、ポリエステル樹脂を重縮合する工程であって、錫は、ポリエステル樹脂の30〜110 ppmの範囲内で存在し、およびアンチモンは、ポリエステル樹脂の95 ppm〜300 ppmで存在する、工程と、
ポリエステル樹脂の固有粘度を少なくとも0.15 dl/g高めるのに十分な時間、ポリエステル樹脂を固相重合する工程と
を含む、方法。
【請求項２】
固相法を使用して低アセトアルデヒド発生ポリエステル樹脂を製造するための触媒組成物であって、
上記触媒組成物は、錫およびアンチモンを含んでなり、
錫は、ポリエステル樹脂の30〜110 ppmの範囲内で存在し、およびアンチモンは、ポリエステル樹脂の95 ppm〜300 ppmで存在し、
上記触媒組成物は、モル当量のコバルトおよび燐をさらに含んでなり、
コバルトは、ポリエステル樹脂の15 ppm未満で存在する、
触媒組成物。
【手続補正２】
【補正対象書類名】明細書
【補正対象項目名】００４７
【補正方法】変更
【補正の内容】
【００４７】
フェノール/テトラクロロエタン中に溶解しない高分子量または高結晶性ポリ(エチレンテレフタレート)および関連ポリマーの固有粘度は、0.1 gのポリマーまたは粉砕ペレットを、25 mlのトリフルオロ酢酸/ジクロロメタン(50/50)中に溶解させ、そして溶液の粘度を、30℃ +/- 0.05にて、同じ温度の溶媒に対してタイプOC Ubbelohde粘度計を使用して決定することにより、決定した。固有粘度は、Billmeyer方程式を使用して計算し、そして直線回帰を使用して変換して、フェノール/テトラクロロエタン(60/40)溶媒を使用して得られるものと一致する結果を得る。直線回帰は、以下の通りである。
フェノール/テトラクロロエタン(60/40)における固有粘度(I.V.)＝
0.8229×トリフルオロ酢酸/ジクロロメタン(50/50)中の固有粘度(I.V.)＋0.0124
本発明の好ましい態様は、以下を包含する。
〔１〕  低アセトアルデヒド発生率を有するポリエステル樹脂の製造方法であって、
錫およびアンチモンの存在下、ポリエステル樹脂を重縮合する工程であって、錫は、ポリエステル樹脂の30〜110 ppmの範囲内で存在し、およびアンチモンは、ポリエステル樹脂の95 ppm〜300 ppmで存在する、工程と、
ポリエステル樹脂の固有粘度を少なくとも0.15 dl/g高めるのに十分な時間、ポリエステル樹脂を固相重合する工程と
を含む、方法。
〔２〕  固相法を使用して低アセトアルデヒド発生ポリエステル樹脂を製造するための触媒組成物であって、
上記触媒組成物は、錫およびアンチモンを含んでなり、錫は、ポリエステル樹脂の30〜110 ppmの範囲内で存在し、およびアンチモンは、ポリエステル樹脂の95 ppm〜300 ppmで存在する、触媒組成物。
〔３〕  モル当量のコバルトおよび燐をさらに含んでなり、コバルトは、ポリエステル樹脂の15 ppm未満で存在する、〔２〕に記載の触媒。
【手続補正書】
【提出日】平成22年1月29日(2010.1.29)
【手続補正１】
【補正対象書類名】特許請求の範囲
【補正対象項目名】全文
【補正方法】変更
【補正の内容】
【特許請求の範囲】
【請求項１】
空気式ポジショナ（１００）において、
制御信号（１１４，１１５）に応答して出力ポートにおける圧力を生成するように動作可能なコンバータ（１０２）と、
入力制御信号（１０６）を前記空気式ポジショナ（１００）に使用して作動し、前記入力制御信号（１０６）に少なくとも部分的に基づいて前記コンバータ（１０２）用の制御信号（１１４）を生成するように動作可能な制御回路（１０８）と、
前記入力制御信号（１０６）を受信して前記制御回路（１０８）に前記入力制御信号（１０６）を提供し、前記コンバータ（１０２）用の前記制御信号（１１４）を前記入力制御信号（１０４，１０６）に応答して修正するように動作可能な安全オーバーライド回路（２００）であって、前記修正された制御信号（１１５）が前記コンバータ（１０２）を安全状態に移行させ、前記コンバータ（１０２）が前記安全状態にある間、前記安全オーバーライド回路（２００）が前記制御回路（１０８）を前記入力制御信号（１０６）によって引き続き作動させたままにする安全オーバーライド回路（２００）と
を備える空気式ポジショナ。
【請求項２】
前記コンバータによって生成された圧力によって制御される弁をさらに備える、請求項１に記載の空気式ポジショナ。
【請求項３】
前記安全オーバーライド回路（２００）が、外部で生成されたトリップ信号（１０４）によって制御される、請求項１に記載の空気式ポジショナ。
【請求項４】
前記安全オーバーライド回路（２００）が、前記入力制御信号（１０６）によって制御される、請求項１に記載の空気式ポジショナ。
【請求項５】
前記安全オーバーライド回路（２００）が、前記入力制御信号を表す特性電圧を基準電圧と比較するように動作可能な比較回路を備える、請求項４に記載の空気式ポジショナ。
【請求項６】
前記制御回路（１０８）が、少なくとも１つの外部デバイスからのデジタル信号を伝達および受信するように動作可能である、請求項１に記載の空気式ポジショナ。
【請求項７】
前記コンバータ（１０２）が、前記出力ポートを大気圧まで排気することによって前記安全状態に移行する、請求項１に記載の空気式ポジショナ。
【請求項８】
前記空気式ポジショナ（１００）の危険動作条件を検知するように動作可能な少なくとも１つのセンサをさらに備え、前記制御回路（１０８）が、前記検知に基づいて前記コンバータ（１０２）を安全状態に移行させるように前記制御信号を修正することができる、請求項１に記載の空気式ポジショナ。
【請求項９】
空気式ポジショナ（１００）において実行される方法であって、
入力制御信号（１０６）を安全オーバーライド回路（２００）において受け取るステップと、
前記空気式ポジショナ（１００）の制御回路（１０８）に前記入力制御信号（１０６）を供給して前記制御回路（１０８）を作動させるステップと、
前記入力制御信号（１０６）に少なくとも部分的に基づいて前記制御回路（１０８）で信号／圧力コンバータ（１０２）用の制御信号（１１４）を生成するステップと、
入力信号（１０４，１０６）に基づいて前記空気式ポジショナ（１００）の危険動作条件を検知するステップと、
前記危険動作条件の検知に応答して前記コンバータ（１０２）を安全状態に移行させるように前記制御信号（１１４，１１５）を修正するステップと、
前記コンバータ（１０２）が前記安全状態にある間、前記制御回路（１０８）を前記入力制御信号（１０６）によって引き続き作動させたままにするステップと
を含む方法。
【請求項１０】
前記修正された制御信号（１１５）に応答して前記コンバータ（１０２）の出力ポートを大気圧まで排気するステップをさらに含む、請求項９に記載の方法。
【請求項１１】
危険動作条件を検知するステップは、入力トリップ信号（１０４）が起動したことを検知するステップを含む、請求項９に記載の方法。
【請求項１２】
危険動作条件を検知するステップは、前記入力制御信号（１０６）の電流レベルが閾値の外にあることを検知するステップを含む、請求項９に記載の方法。
【請求項１３】
前記入力制御信号（１０６）の電流レベルが閾値の外にあることを検知するステップは、
前記入力制御信号（１０６）に基づいて特性電圧を生成するステップと、
基準電圧を前記特性電圧と比較するステップと、
前記比較に基づいて前記入力制御信号（１０６）の前記電流レベルが前記閾値より下に下がったことを判定するステップと
を含む、請求項１２に記載の方法。
【請求項１４】
前記空気式ポジショナ（１００）の危険動作条件を感知するステップと、
前記検知に基づいて前記コンバータを安全状態に移行させるように前記制御信号（１１４，１１５）を修正するステップと
をさらに含む、請求項９に記載の方法。
【手続補正書】
【提出日】平成22年2月2日(2010.2.2)
【手続補正１】
【補正対象書類名】特許請求の範囲
【補正対象項目名】全文
【補正方法】変更
【補正の内容】
【特許請求の範囲】
【請求項１】
必要性のある対象におけるＩ型糖尿病（Ｔ１ＤＭ）を判断する方法であって、前記方法は、対象の生物学的サンプル中の抗ＣＣＬ３抗体の存在及び／又はレベルを生体外で決定することを含み、予め決定された閾値より上の前記存在又はレベルはＴ１ＤＭの指標であり、それにより対象におけるＴ１ＤＭを判断することを特徴とする方法。
【請求項２】
Ｔ１ＤＭを診断するためのキットであって、包装材料、及び対象の生物学的サンプル中の抗ＣＣＬ３抗体を決定するための少なくとも一つの試薬を含むことを特徴とするキット。
【請求項３】
対象の生物学的サンプル中の抗ＣＣＬ３抗体の存在及び／又はレベルを決定するための少なくとも一つの試薬、及び抗糖尿病治療を含む、Ｔ１ＤＭを監視するためのキット。
【請求項４】
前記抗糖尿病治療が、インスリン、グルカゴン、グルコース、ビグアニド、クロム、ヤクヨウニンジン、マグネシウム及びバナジウムからなる群から選択される医薬を含むことを特徴とする、請求項３に記載のキット。
【請求項５】
前記抗糖尿病治療が、膵臓移植、小島細胞移植及び生活様式の管理からなる群から選択されることを特徴とする、請求項３に記載のキット。
【請求項６】
Ｔ１ＤＭが、成人における潜在的自己免疫糖尿病（ＬＡＤＡ）を含むことを特徴とする、請求項１に記載の方法。
【請求項７】
前記抗ＣＣＬ３抗体の存在及び／又はレベルを決定することが、Ｔ１ＤＭ糖尿病状態に対して特異的な自己抗体の顕在化に先立って行われることを特徴とする、請求項１に記載の方法。
【請求項８】
Ｔ１ＤＭ糖尿病状態に対して特異的な自己抗体の存在又はレベルを決定することをさらに含むことを特徴とする、請求項１に記載の方法。
【請求項９】
Ｔ１ＤＭ糖尿病状態に対して特異的な自己抗体の存在又はレベルを決定するための少なくとも一つの試薬をさらに含むことを特徴とする、請求項２又は３に記載のキット。
【請求項１０】
前記Ｔ１ＤＭ糖尿病状態に対して特異的な自己抗体が、グルタミン酸デカルボキシラーゼ（ＧＡＤ）、小島細胞抗原（ＩＣＡ）５１２／ＩＡ−２、及びインスリンからなる群から選択される抗原に対して特異的であることを特徴とする、請求項７又は８に記載の方法。
【請求項１１】
前記閾値が、ｌｏｇ２Ａｂ  １０〜１５の抗ＣＣＬ３力価を含むことを特徴とする、請求項１に記載の方法。
【請求項１２】
ｌｏｇ２Ａｂ  １０〜１５の抗ＣＣＬ３力価はＴ１ＤＭの指標であるという説明をさらに含むことを特徴とする、請求項２に記載のキット。
【請求項１３】
前記決定することがＥＬＩＳＡによって行われることを特徴とする、請求項１に記載の方法。
【手続補正書】
【提出日】平成22年2月5日(2010.2.5)
【手続補正１】
【補正対象書類名】特許請求の範囲
【補正対象項目名】全文
【補正方法】変更
【補正の内容】
【特許請求の範囲】
【請求項１】
放射源と、
放射検出器と、
放射を光路に沿って前記放射源から前記放射検出器に反射させるように配置された反射手段と、
を備え、
前記放射源および前記放射検出器は並んで配置され、前記反射手段は、前記放射源から拡散する放射を反射させ、前記反射された放射を前記放射検出器の上に集光するように構成され、
前記反射手段は、各々が半径および中心点を有する弧によって定められた、複数のサブ表面をもつ表面を含み、前記弧は軸線の周りに掃引され、各々のサブ表面は隣接するサブ表面とは異なる半径および異なる中心点を有することを特徴とするガスセンサ。
【請求項２】
前記軸線は前記放射源および前記放射検出器と一直線をなしていることを特徴とする、
請求項１に記載のガスセンサ。
【請求項３】
前記弧の長さはゼロに近づいていくことを特徴とする、請求項１または請求項２に記載のガスセンサ。
【請求項４】
前記サブ表面は半ドーナッツ形であることを特徴とする、請求項１から３のいずれかに記載のガスセンサ。
【請求項５】
前記表面は、前記放射源からの放射出口角に関係なく、放射を前記放射源から前記放射検出器の対応する位置に反射させるように構成されることを特徴とする、請求項１から４のいずれかに記載のガスセンサ。
【請求項６】
前記表面は、前記放射源の中心を出る放射を前記放射検出器の中心に反射させ、前記放射源の外側を出る放射を前記放射検出器の外側に反射させ、前記放射源の内側を出る放射を前記放射検出器の内側に反射させるように構成されることを特徴とする、請求項１から５のいずれかに記載のガスセンサ。
【請求項７】
前記表面は、放射を、各サブ表面に関して前記光路長が平均して等しくなるように反射させるように構成されることを特徴とする、請求項１から６のいずれかに記載のガスセンサ。
【請求項８】
前記反射手段は、ハウジングの反射性面を含むことを特徴とする、請求項１から７のいずれかに記載のガスセンサ。
【請求項９】
前記ハウジングは、前記ガスセンサとの間のガス輸送を可能にするために少なくとも１つの孔を有することを特徴とする、請求項８に記載のガスセンサ。
【請求項１０】
前記放射源および前記放射検出器は、共通の基材に取り付けられ、前記基材は、前記放射源および前記放射検出器を前記ハウジングに対して位置決めすることを特徴とする、請求項１から９のいずれかに記載のガスセンサ。
【請求項１１】
前記基材は、前記ハウジングの直径に沿って延びる細長い部材として構成されることを特徴とする、請求項１０に記載のガスセンサ。
【請求項１２】
前記細長い部材は、前記放射検出器上の反射された放射プールの位置を最適化するように調整可能であることを特徴とする、請求項１から１１のいずれかに記載のガスセンサ。
【請求項１３】
前記細長い部材は、ピンの摺動によって調整可能であることを特徴とする、請求項１２に記載のガスセンサ。
【請求項１４】
前記ピンは導線であることを特徴とする、請求項１３に記載のガスセンサ。
【請求項１５】
前記調整可能な細長い部材は、前記反射手段に対してロック可能であることを特徴とする、請求項１３または請求項１４に記載のガスセンサ。
【請求項１６】
前記調整可能な細長い部材は、前記ピンを前記反射手段に接着剤でつけることによってロック可能であることを特徴とする、請求項１５に記載のガスセンサ。
【請求項１７】
前記調整可能な細長い部材は、前記ピンをはんだ付けすることによってロック可能であることを特徴とする、請求項１５に記載のガスセンサ。
【請求項１８】
前記反射手段は、前記光路が、前記放射源および前記放射検出器の周りに広がるキャビティによって少なくとも部分的に定められるように配置されることを特徴とする、請求項１から１７のいずれかに記載のガスセンサ。
【請求項１９】
前記キャビティは、前記放射源および前記放射検出器の表面に対して平行な面によって境界付けられることを特徴とする、請求項１８に記載のガスセンサ。
【請求項２０】
各々のサブ表面は隣接するサブ表面に接することを特徴とする、請求項１から１９のいずれかに記載のガスセンサ。
【請求項２１】
前記表面は、前記放射検出器に集光するとき、前記放射源上の点から発する放射が合焦されないように構成されることを特徴とする、請求項１から２０のいずれかに記載のガスセンサ。
【手続補正書】
【提出日】平成22年1月19日(2010.1.19)
【手続補正１】
【補正対象書類名】特許請求の範囲
【補正対象項目名】全文
【補正方法】変更
【補正の内容】
【特許請求の範囲】
【請求項１】
試料組成物内の炭素を測定する装置であって、
反応チャンバと、
ダイヤで塗膜され、ドープ材料でドープ処理されているダイヤ塗膜電極と、
検出器と、
を含んでいることを特徴とする装置。
【手続補正書】
【提出日】平成22年3月1日(2010.3.1)
【手続補正１】
【補正対象書類名】特許請求の範囲
【補正対象項目名】全文
【補正方法】変更
【補正の内容】
【特許請求の範囲】
【請求項１】
信号を復号化する方法において、
任意ダウンミックス信号と前記任意ダウンミックス信号を補償するための補償情報を受信する段階と、
前記補償情報を用いて前記任意ダウンミックス信号を補償する段階と、
前記補償された任意ダウンミックス信号に３Ｄレンダリングを行い、３Ｄダウンミックス信号を生成する段階と、
を有することを特徴とする復号化方法。
【請求項２】
前記補償情報は、符号化装置で生成されるダウンミックス信号と前記任意ダウンミックス信号との差に関する情報を含む、請求項１に記載の復号化方法。
【請求項３】
前記補償情報は、符号化装置で生成されるダウンミックス信号と前記任意ダウンミックス信号とのエネルギーレベルの比に関するダウンミックスゲイン情報を含む、請求項１に記載の復号化方法。
【請求項４】
前記補償情報は、複数のチャンネルに関する空間情報と異なる解像度で量子化される、請求項１に記載の復号化方法。
【請求項５】
前記任意ダウンミックス信号を補償する段階は、
前記任意ダウンミックス信号を第１のドメインから第２のドメインへ変換する段階と、
前記第２のドメイン上で、前記補償情報を用いて前記任意ダウンミックス信号を補償する段階と、
前記補償された任意ダウンミックス信号を、前記第２のドメインから前記第１のドメインへ変換する段階と、
を有する、請求項１に記載の復号化方法。
【請求項６】
前記３Ｄダウンミックス信号を生成する段階は、
前記補償された任意ダウンミックス信号を３Ｄレンダリングドメインへ変換する段階と、
前記３Ｄレンダリングドメイン上で、前記補償された任意ダウンミックス信号に３Ｄレンダリングを行う段階と、
を有する請求項１に記載の復号化方法。
【請求項７】
前記任意ダウンミックス信号が入力ビットストリームに含まれるか否かを表す情報を受信する段階をさらに有し、
前記任意ダウンミックス信号が前記情報に基づいて識別される、請求項１に記載の復号化方法。
【請求項８】
請求項１〜７の何れか一項に記載された復号化方法を実行するためのコンピュータプログラムを記録した、コンピュータで読み取り可能な記録媒体。
【請求項９】
信号を復号化する装置において、
任意ダウンミックス信号と前記任意ダウンミックス信号を補償するための補償情報を受信するビットアンパッキング部と、
前記補償情報を用いて前記任意ダウンミックス信号を補償するダウンミックス補償部と、
前記補償された任意ダウンミックス信号に３Ｄレンダリングを行い、３Ｄダウンミックス信号を生成する３Ｄレンダリング部と、
を有することを特徴とする復号化装置。
【請求項１０】
前記補償情報は、符号化装置で生成されるダウンミックス信号と前記任意ダウンミックス信号との差に関する情報を含む、請求項９に記載の復号化装置。
【請求項１１】
前記補償情報は、符号化装置で生成されるダウンミックス信号と前記任意ダウンミックス信号とのエネルギーレベルの比に関するダウンミックスゲイン情報を含む、請求項９に記載の復号化装置。
【請求項１２】
前記補償情報は、複数のチャンネルに関する空間情報と異なる解像度で量子化される、請求項９に記載の復号化装置。
【請求項１３】
前記ダウンミックス補償部は、
前記任意ダウンミックス信号を第１のドメインから第２のドメインへ変換する第１ドメイン変換部と、
前記第２のドメイン上で、前記補償情報を用いて前記任意ダウンミックス信号を補償する補償処理部と、
前記補償された任意ダウンミックス信号を、前記第２のドメインから前記第１のドメインへ変換する第２ドメイン変換部と、を有する、請求項９に記載の復号化装置。
【請求項１４】
前記３Ｄレンダリング部は、前記補償された任意ダウンミックス信号を、第３のドメインから第４のドメインへ変換し、前記第４のドメイン上で、前記補償された任意ダウンミックス信号に３Ｄレンダリングを行い、前記３Ｄレンダリングにより得られた信号を、前記第４のドメインから前記第３のドメインへ変換する、請求項９に記載の復号化装置。
【請求項１５】
前記ビットアンパッキング部は、前記任意ダウンミックス信号が入力ビットストリームに含まれるか否かを表す情報を受信し、
前記任意ダウンミックス信号が前記情報に基づいて識別される、請求項９に記載の復号化装置。
【手続補正書】
【提出日】平成22年3月2日(2010.3.2)
【手続補正１】
【補正対象書類名】特許請求の範囲
【補正対象項目名】全文
【補正方法】変更
【補正の内容】
【特許請求の範囲】
【請求項１】
信号を復号化する方法において、
ダウンミックス信号及び複数のチャンネルに関する複数の空間情報を受信する段階と、
前記複数の空間情報のうちの少なくとも一つ及びフィルタを用いて前記ダウンミックス信号に３Ｄレンダリングを行い、３Ｄダウンミックス信号を生成する段階と、を有し、
前記ダウンミックス信号の有効信号個数、前記空間情報の有効信号個数及び前記フィルタの係数の有効信号個数の和が、前記３Ｄダウンミックス信号の有効信号個数より小さい、
ことを特徴とする復号化方法。
【請求項２】
前記３Ｄダウンミックス信号を生成する段階は、
前記ダウンミックス信号をＭ−ポイント周波数ドメイン上の信号に変換する段階と、
Ｎ−ポイント周波数ドメイン上にマッピングされた前記複数の空間情報のうちの少なくとも一つ及び前記変換により得られた前記信号を用いて、マルチチャンネル信号を生成する段階と、
前記マルチチャンネル信号に前記フィルタを適用して前記３Ｄダウンミックス信号を生成する段階と、
前記３Ｄダウンミックス信号を時間ドメイン上の信号に変換する段階と、
を有する、請求項１に記載の復号化方法。
【請求項３】
信号を復号化する方法において、
ダウンミックス信号及び複数のチャンネルに関する複数の空間情報を受信する段階と、
前記複数の空間情報のうちの少なくとも一つを、前記少なくとも一つの空間情報に隣接する空間情報を用いて補正する段階と、
前記補正された空間情報と前記ダウンミックス信号を用いてマルチチャンネル信号を生成する段階と、
を有することを特徴とする復号化方法。
【請求項４】
前記補正された空間情報を用いて前記ダウンミックス信号に３Ｄレンダリングを行い、３Ｄダウンミックス信号を生成する段階をさらに有する、請求項３に記載の復号化方法。
【請求項５】
前記補正は、隣り合う空間情報のうち少なくとも一つを、前記隣り合う空間情報の平均に置換することを含む、請求項３に記載の復号化方法。
【請求項６】
前記補正は、隣り合う第１及び第２のフレームにそれぞれ対応する第１及び第２の空間情報のうち少なくとも一つを、前記第１及び第２の空間情報の平均に置換することを含む、請求項３に記載の復号化方法。
【請求項７】
前記補正は、隣り合う第１及び第２のパラメータバンドにそれぞれ対応する第１及び第２の空間情報のうち少なくとも一つを、前記第１及び第２の空間情報の平均に置換することを含む、請求項３に記載の復号化方法。
【請求項８】
請求項１〜７の何れか一項に記載された復号化方法を実行するためのコンピュータプログラムを記録した、コンピュータで読み取り可能な記録媒体。
【請求項９】
信号を復号化する装置において、
ダウンミックス信号及び複数のチャンネルに関する複数の空間情報を受信するビットアンパッキング部と、
前記複数の空間情報のうちの少なくとも一つ及びフィルタを用いて前記ダウンミックス信号に３Ｄレンダリングを行い、３Ｄダウンミックス信号を生成する３Ｄレンダリング部と、を有し、
前記ダウンミックス信号の有効信号個数、前記空間情報の有効信号個数及び前記フィルタの係数の有効信号個数の和が前記３Ｄダウンミックス信号の有効信号個数より小さい、
ことを特徴とする復号化装置。
【請求項１０】
前記３Ｄレンダリング部は、
前記ダウンミックス信号をＭ−ポイント周波数ドメイン上の信号に変換する第１のドメイン変換部と、
前記第１のドメイン変換部によって行われた変換により得られた信号を使用し、Ｎ−ポイント周波数ドメイン上にマッピングされた前記複数の空間情報のうちの少なくとも一つを用いて、マルチチャンネル信号を生成するマルチチャンネル信号生成部と、
前記マルチチャンネル信号に前記フィルタを適用して前記３Ｄダウンミックス信号を生成する３Ｄダウンミックス信号生成部と、
前記３Ｄダウンミックス信号を時間ドメイン上の信号に変換する第２のドメイン変換部と、を有し、
前記ダウンミックス信号の有効信号個数であるＮ及び前記フィルタの係数の有効信号個数の和は、Ｍより小さい、請求項９に記載の復号化装置。
【請求項１１】
信号を復号化する装置において、
ダウンミックス信号及び複数のチャンネルに関する複数の空間情報を受信するビットアンパッキング部と、
前記複数の空間情報の少なくとも一つを、前記少なくとも一つの空間情報に隣接する空間情報を用いて補正する空間情報補正部と、
前記補正された空間情報と前記ダウンミックス信号を用いて、マルチチャンネル信号を生成するマルチチャンネルデコーダと、を有する復号化装置。
【請求項１２】
前記補正された空間情報を用いて前記ダウンミックス信号に３Ｄレンダリングを行い、３Ｄダウンミックス信号を生成する３Ｄレンダリング部をさらに有する、請求項１１に記載の復号化装置。
【請求項１３】
前記空間情報補正部は、隣り合う空間情報のうち少なくとも一つを、前記隣り合う空間情報の平均に置換する、請求項１１に記載の復号化装置。
【請求項１４】
前記空間情報補正部は、隣り合う第１及び第２のフレームにそれぞれ対応する第１及び第２の空間情報のうち少なくとも一つを、前記第１及び第２の空間情報の平均に置換する、請求項１１に記載の復号化装置。
【請求項１５】
前記空間情報補正部は、隣り合う第１及び第２のパラメータバンドにそれぞれ対応する第１及び第２の空間情報のうち少なくとも一つを、前記第１及び第２の空間情報の平均に置換する、請求項１１に記載の復号化装置。
【手続補正書】
【提出日】平成22年3月4日(2010.3.4)
【手続補正１】
【補正対象書類名】特許請求の範囲
【補正対象項目名】全文
【補正方法】変更
【補正の内容】
【特許請求の範囲】
【請求項１】
信号を復号化する方法において、
第１のマルチチャンネルデコーダに最適化した互換型ダウンミックス信号を受信する段階と、
前記互換型ダウンミックス信号に互換処理を行い、前記互換型ダウンミックス信号を、第２のマルチチャンネルデコーダに最適化したダウンミックス信号に変換する段階と、
前記変換されたダウンミックス信号に３Ｄレンダリングを行い、３Ｄダウンミックス信号を生成する段階と、
を有することを特徴とする復号化方法。
【請求項２】
前記３Ｄダウンミックス信号を生成する段階は、ＨＲＴＦを用いて行われる、請求項１に記載の復号化方法。
【請求項３】
前記互換型ダウンミックス信号を変換する段階は、
前記互換型ダウンミックス信号を、第１のドメインから第２のドメインへと変換する段階と、
前記第２のドメイン上で、前記互換型ダウンミックス信号を、互換情報を用いて前記第２のマルチチャンネルデコーダに最適化したダウンミックス信号に変換する段階と、
前記第２のマルチチャンネルデコーダに最適化したダウンミックス信号を、前記第２のドメインから前記第１のドメインへと変換する段階と、
を有する、請求項１に記載の復号化方法。
【請求項４】
前記３Ｄダウンミックス信号を生成する段階は、
前記変換されたダウンミックス信号を３Ｄレンダリングドメインへと変換する段階と、
前記３Ｄレンダリングドメイン上で、前記変換されたダウンミックス信号に３Ｄレンダリングを行う段階と、
を有する請求項１に記載の復号化方法。
【請求項５】
前記互換型ダウンミックス信号が入力ビットストリームに含まれるか否かを表す情報を受信する段階をさらに有し、
前記互換型ダウンミックス信号は、前記情報に基づいて識別される、請求項１に記載の復号化方法。
【請求項６】
前記変換されたダウンミックス信号と複数のチャンネルに関する空間情報とを用いてマルチチャンネル信号を生成する段階をさらに有する、請求項１に記載の復号化方法。
【請求項７】
信号を復号化する方法において、
第１のマルチチャンネルデコーダに最適化した互換型ダウンミックス信号を受信する段階と、
３Ｄレンダリングに用いられるフィルタに関するフィルタ情報に、互換処理を行うのに必要な互換情報を結合する段階と、
前記結合によって得られたフィルタ情報を用いて前記互換型ダウンミックス信号に３Ｄレンダリングを行い、３Ｄダウンミックス信号を生成する段階と、
を有することを特徴とする復号化方法。
【請求項８】
請求項１〜７の何れか一項に記載された復号化方法を実行するためのコンピュータプログラムを記録した、コンピュータで読み取り可能な記録媒体。
【請求項９】
信号を復号化する装置において、
第１のマルチチャンネルデコーダに最適化した互換型ダウンミックス信号を受信するビットアンパッキング部と、
前記互換型ダウンミックス信号に互換処理を行い、前記互換型ダウンミックス信号を、第２のマルチチャンネルデコーダに最適化したダウンミックス信号に変換するダウンミックス互換処理部と、
前記変換された互換型ダウンミックス信号に３Ｄレンダリングを行い、３Ｄダウンミックス信号を生成する３Ｄレンダリング部と、
を有することを特徴とする復号化装置。
【請求項１０】
前記３Ｄレンダリング部は、ＨＲＴＦを用いて前記３Ｄダウンミックス信号を生成する、請求項９に記載の復号化装置。
【請求項１１】
前記ダウンミックス互換処理部は、
前記互換型ダウンミックス信号を、第１のドメインから第２のドメインへと変換する第１ドメイン変換部と、
前記第２のドメイン上で、前記互換型ダウンミックス信号を、互換情報を用いて前記第２のマルチチャンネルデコーダに最適化したダウンミックス信号に変換する互換処理部と、
前記第２のマルチチャンネルデコーダに最適化した前記ダウンミックス信号を、前記第２のドメインから前記第１のドメインへと変換する第２ドメイン変換部と、を有する、請求項９に記載の復号化装置。
【請求項１２】
前記３Ｄレンダリング部は、前記変換されたダウンミックス信号を３Ｄレンダリングドメインへと変換し、第４のドメイン上で、前記変換されたダウンミックス信号に３Ｄレンダリングを行う、請求項９に記載の復号化装置。
【請求項１３】
前記ビットアンパッキング部は、前記互換型ダウンミックス信号が入力ビットストリームに含まれるか否かを表す情報を受信し、前記互換型ダウンミックス信号は、前記情報に基づいて識別される、請求項９に記載の復号化装置。
【請求項１４】
前記変換されたダウンミックス信号と複数のチャンネルに関する空間情報を用いてマルチチャンネル信号を生成するマルチチャンネルデコーダをさらに有する、請求項９に記載の復号化装置。
【手続補正書】
【提出日】平成22年3月4日(2010.3.4)
【手続補正１】
【補正対象書類名】特許請求の範囲
【補正対象項目名】全文
【補正方法】変更
【補正の内容】
【特許請求の範囲】
【請求項１】
信号を復号化する方法において、
拡張情報及び空間情報を含むビットストリームを受信する段階と、
前記ビットストリームの前記拡張情報をスキップする段階と、
３Ｄダウンミックス信号に３Ｄレンダリングを行い、前記３Ｄダウンミックス信号から３Ｄ効果を除去する段階と、
前記３Ｄ効果の除去されたダウンミックス信号と前記空間情報を用いてマルチチャンネル信号を生成する段階と、
を有することを特徴とする復号化方法。
【請求項２】
前記拡張情報は、チャンネル拡張情報とレジデュアル情報のうち少なくとも一つを含む、請求項１に記載の復号化方法。
【請求項３】
前記３Ｄ効果を除去する段階は、前記３Ｄダウンミックス信号の生成に使用されたフィルタの逆変換フィルタを用いる、請求項１に記載の復号化方法。
【請求項４】
前記拡張情報のビット数に関する情報を前記ビットストリームから抽出する段階をさらに有し、
前記拡張情報をスキップする段階は、前記ビット数に関する情報に基づいて行われる、請求項１に記載の復号化方法。
【請求項５】
信号を復号化する方法において、
拡張情報及び空間情報を含むビットストリームを受信する段階と、
前記ビットストリームの前記拡張情報をスキップする段階と、
ダウンミックス信号に３Ｄレンダリングを行い、３Ｄダウンミックス信号を生成する段階と、
を有することを特徴とする復号化方法。
【請求項６】
前記拡張情報は、チャンネル拡張情報とレジデュアル情報のうち少なくとも一つを含む、請求項５に記載の復号化方法。
【請求項７】
前記拡張情報のビット数に関する情報を前記ビットストリームから抽出する段階をさらに有し、
前記拡張情報をスキップする段階は、前記ビット数に関する情報に基づいて行われる、請求項５に記載の復号化方法。
【請求項８】
信号を復号化する装置において、
拡張情報及び空間情報を含むビットストリームを受信し、前記ビットストリームの前記拡張情報をスキップするビットアンパッキング部と、
３Ｄダウンミックス信号に３Ｄレンダリングを行い、前記３Ｄダウンミックス信号から３Ｄ効果を除去する３Ｄレンダリング部と、
前記３Ｄ効果が除去されたダウンミックス信号と前記空間情報を用いてマルチチャンネル信号を生成するマルチチャンネルデコーダと、
を有することを特徴とする復号化装置。
【請求項９】
前記拡張情報は、チャンネル拡張情報とレジデュアル情報のうち少なくとも一つを含む、請求項８に記載の復号化装置。
【請求項１０】
前記３Ｄレンダリング部は、前記３Ｄダウンミックス信号の生成に使用されたフィルタの逆変換フィルタを用いて３Ｄ効果を除去する、請求項８に記載の復号化装置。
【請求項１１】
前記ビットアンパッキング部は、前記拡張情報のビット数に関する情報を前記ビットストリームから抽出し、前記ビット数に関する情報に基づいて前記拡張情報をスキップする、請求項８に記載の復号化装置。
【請求項１２】
信号を復号化する装置において、
拡張情報及び空間情報を含むビットストリームを受信し、前記ビットストリームの前記拡張情報をスキップするビットアンパッキング部と、
ダウンミックス信号に３Ｄレンダリングを行い、３Ｄダウンミックス信号を生成する３Ｄレンダリング部と、
を有することを特徴とする復号化装置。
【請求項１３】
前記拡張情報は、チャンネル拡張情報とレジデュアル情報のうち少なくとも一つを含む、請求項１２に記載の復号化装置。
【請求項１４】
前記ビットアンパッキング部は、前記拡張情報のビット数に関する情報を前記ビットストリームから抽出し、前記ビット数に関する情報に基づいて前記拡張情報をスキップする、請求項１２に記載の復号化装置。
【請求項１５】
請求項１〜７の何れか一項に記載された復号化方法を実行させるためのコンピュータプログラムを記録した、コンピュータで読み取り可能な記録媒体。
【手続補正書】
【提出日】平成22年1月22日(2010.1.22)
【手続補正１】
【補正対象書類名】特許請求の範囲
【補正対象項目名】全文
【補正方法】変更
【補正の内容】
【特許請求の範囲】
【請求項１】
（ａ）親水性表面を有する平版印刷基材と、
（ｂ）前記親水性表面上の輻射線感受性コーティングを含み、
前記輻射線感受性コーティングが、
（ｉ）遊離基重合し得る少なくとも１つのエチレン不飽和基をそれぞれ含む１種または２種以上のモノマーおよび／またはオリゴマーおよび／またはポリマー、
（ii）少なくとも１種の増感剤、および
（iii）増感剤（ii）と共に遊離基を形成することのできる、メタロセン以外の少なくとも１種の共開始剤、
を含み、前記少なくとも１種の増感剤が、式（Ｉ）：
【化１】
2009526251.tif 000001
［式中、
Ｒ4 は、水素、ＣＮ、ハロゲン、非置換のおよび置換されたアルキル、アラルキル、アルキルアリールおよびアリール、−Ｏ−アルキル、−Ｏ−アリール、−Ｓ−アルキル、−ＣＯＯＲ、−ＳＯＲ、−ＳＯ2Ｒ、−ＳＯ3Ｒ、−ＮＯ2 、Ｎ（Ｒ）2 、Ｎ（Ｒ）3+および−ＰＯ3（Ｒ）2 （各ＲはＨ、アルキル、アリール、アラルキルおよびアルキルアリールから選ばれる）からなる群から選ばれ；
Ｒ5 およびＲ6 は、水素、ＣＮ、ハロゲン、非置換のおよび置換されたアルキル、アラルキル、アルキルアリールおよびアリール、−Ｏ−アルキル、−Ｏ−アリール、−Ｓ−アルキル、−ＣＯＯＲ、−ＳＯＲ、−ＳＯ2Ｒ、−ＳＯ3Ｒ、−ＮＯ2 、Ｎ（Ｒ）2 、Ｎ（Ｒ）3+および−ＰＯ3（Ｒ）2 （各ＲはＨ、アルキル、アリール、アラルキルおよびアルキルアリールからなる群から選ばれる）からなる群から独立に選ばれ；
Ｒ4 およびＲ6 は、５員または６員縮合芳香族環を形成することができ；
Ｒ7 およびＲ8 は、水素、ＣＮ、ハロゲン、並びに非置換のおよび置換されたアルキル、アルキルアリール、アラルキルおよびアリールからなる群から独立に選ばれ；
ｎは０、１および２から選ばれ；
ＺはＯ、Ｓ、ＳｅまたはＮＲ（Ｒは水素、アルキル、アリール、アラルキルおよびアルキルアリールからなる群から選ばれる）を表わし；
Ｒ9 〜Ｒ12は、水素、ハロゲン、ＣＮ、非置換のおよび置換されたアルキル、アラルキル、アルキルアリールおよびアリール、−Ｏ−アルキル、−Ｏ−アリール、−Ｓ−アルキル、−ＣＯＯＲ、−ＳＯＲ、−ＳＯ2Ｒ、−ＳＯ3Ｒ、−ＮＯ2 、Ｎ（Ｒ）2 、Ｎ（Ｒ）3+および−ＰＯ3（Ｒ）2 （各ＲはＨ、アルキル、アリール、アラルキルおよびアルキルアリールからなる群から選ばれる）からなる群から独立に選ばれるが、ただし、基Ｒ9 〜Ｒ12のうちの少なくとも１つは、少なくとも５５Å3 のファンデルワールス体積を有する嵩高い基であり；
Ｒ1 およびＲ2 は、それらが結合している窒素原子と一緒にＮ−ヘテロアリール基を形成しており、このＮ−ヘテロアリール基は１または２個の縮合したベンゼン環を任意選択的に有していてもよく、Ｒ3 は、水素、ＣＮ、ハロゲン、非置換のおよび置換されたアルキル、アラルキル、アルキルアリールおよびアリール、−Ｏ−アルキル、−Ｏ−アリール、−Ｓ−アルキル、−ＣＯＯＲ、−ＳＯＲ、−ＳＯ2Ｒ、−ＳＯ3Ｒ、−ＮＯ2 、Ｎ（Ｒ）2 、Ｎ（Ｒ）3+および−ＰＯ3（Ｒ）2 （各ＲはＨ、アルキル、アリール、アラルキルおよびアルキルアリールからなる群から選ばれる）からなる群から選ばれるか、あるいは、
Ｒ2 は、非置換および置換アリール並びに非置換および置換ヘテロアリールからなる群から選ばれ、前記アリールまたはヘテロアリール基は、Ｒ3 に連結してＮ−複素環式環を形成し、Ｒ1 は水素、非置換および置換アリール、非置換および置換ヘテロアリール、並びに非置換および置換アルキルからなる群から選ばれ；
Ｒ2 がＲ3 に連結していない場合には、Ｒ3 とＲ5 とは５員または６員縮合芳香族環を形成することができる］
により表わされる化合物を含むことを特徴とする平版印刷版前駆体。
【請求項２】
基Ｒ9 〜Ｒ12のうちの１つだけが嵩高い基である、請求項１に記載の平版印刷版前駆体。
【請求項３】
前記増感剤が式（Ｉａ）または（Ｉｂ）により表わされる、請求項１または２に記載の平版印刷版前駆体：
【化２】
2009526251.tif 000002
【化３】
2009526251.tif 000003
（式中、Ｒ1 、Ｒ3 〜Ｒ12、Ｚおよびｎは請求項１において定義したとおりであり、
各
【化４】
2009526251.tif 000004
は任意選択的に存在していてもよい縮合ベンゼン環を表わし；
各Ｒ’は、ハロゲン、アルキル、アルコキシ、ＣＮ、ＮＯ2 、ＮＲ''2 、Ｃ（Ｏ）Ｈ、ＣＯＯＲ''、ＯＲ''およびＳＲ''から独立に選ばれ；
各Ｒ''は、水素、アルキル及びアリールから独立に選ばれ；
ｍは０または１〜４の整数である）。
【請求項４】
前記増感剤がＳ１〜Ｓ７： 
【化５】
2009526251.tif 000005
【化６】
2009526251.tif 000006
から選ばれる化合物を含む請求項１〜３のいずれか１項に記載の平版印刷版前駆体。
【請求項５】
前記共開始剤（iii）が、１〜３個のＣＸ3 基（Ｘは塩素または臭素を表わす）を有する１，３，５−トリアジン誘導体；過酸化物；ヘキサアリールビイミダゾール類；オキシムエーテル類；オキシムエステル類；Ｎ−アリールグリシン類およびそれらの誘導体；チオール化合物；少なくとも２個のカルボキシル基を有し、それらカルボキシル基のうちの少なくとも１つがアリール単位のＮ、ＳまたはＯ原子に結合しているＮ−アリール、Ｓ−アリールおよびＯ−アリールポリカルボン酸；オニウム塩；アルキルトリアリールボレート類；ベンゾインエーテル類；ベンゾインエステル類；トリハロゲノメチルアリールスルホン類；アミン類；Ｎ，Ｎ−ジアルキルアミノ安息香酸エステル類；芳香族スルホニルハライド類；イミド類；ジアゾスルホネート類；９，１０−ジヒドロアントラセン誘導体；アシルホスフィンオキシド類；ジアシルホスフィンオキシド類；α−ヒドロキシアセトフェノン類およびα−アミノアセトフェノン類；並びにこれらの混合物からなる群から選ばれる、請求項１〜４のいずれか１項に記載の平版印刷版前駆体。
【請求項６】
（ａ）請求項１〜５のいずれか１項に記載の平版印刷版前駆体を、３００ｎｍ超の紫外線に像様露光する工程、
（ｂ）水性アルカリ現像液により前記コーティングの非露光領域を除去する工程、
を含む、請求項１〜５のいずれか１項に記載の平版印刷版前駆体に画像を形成する方法。
【請求項７】
工程（ａ）において得られた露光済みの前駆体が、工程（ｂ）に先立って加熱される、請求項６に記載の方法。
【請求項８】
工程（ｂ）において得られた現像済みの前駆体が、加熱および全体露光から選ばれた少なくとも１つの処理に引き続いてかけられる、請求項６または７に記載の方法。
【請求項９】
像様露光が、３５０〜４８０ｎｍの範囲内の波長の紫外線を使用して行われる、請求項６〜８のいずれか１項に記載の方法。
【手続補正書】
【提出日】平成22年3月3日(2010.3.3)
【手続補正１】
【補正対象書類名】特許請求の範囲
【補正対象項目名】全文
【補正方法】変更
【補正の内容】
【特許請求の範囲】
【請求項１】
オーディオ信号を復号化する方法において、
第１の３Ｄダウンミックス信号を受信する段階と、
前記第１の３Ｄダウンミックス信号に第１の３Ｄレンダリングを行い、３Ｄ効果の除去されたダウンミックス信号を生成する段階と、
前記ダウンミックス信号に第２の３Ｄレンダリングを行い、第２の３Ｄダウンミックス信号を生成する段階と、
を有することを特徴とする復号化方法。
【請求項２】
前記第２の３Ｄダウンミックス信号を生成する段階は、復号化装置に保存されたフィルタ情報を用いて実行される、請求項１に記載の復号化方法。
【請求項３】
前記フィルタ情報は、ＨＲＴＦ係数に関する情報を含む、請求項２に記載の復号化方法。
【請求項４】
前記第２の３Ｄダウンミックス信号を生成する段階は、前記第１の３Ｄダウンミックス信号の生成に使用されたフィルタの特性と異なる特性を有するフィルタを用いて実行される、請求項１に記載の復号化方法。
【請求項５】
複数のフィルタのうち、前記第２の３Ｄダウンミックス信号生成に用いられるフィルタを決定する段階をさらに含む、請求項１に記載の復号化方法。
【請求項６】
前記３Ｄダウンミックス信号生成に用いられる前記フィルタは、使用者の選択、復号化装置の性能、再生環境の特性及び要求される音質のうち少なくとも一つにより決定される、請求項５に記載の復号化方法。
【請求項７】
前記ダウンミックス信号を生成する段階は、
前記第１の３Ｄダウンミックス信号の生成に使用されたフィルタの逆変換フィルタを用いて実行される、請求項１に記載の復号化方法。
【請求項８】
請求項１〜７の何れか一項に記載された復号化方法を実行するためのコンピュータプログラムを記録した、コンピュータで読み取り可能な記録媒体。
【請求項９】
オーディオ信号を復号化する装置において、
第１の３Ｄダウンミックス信号を受信するビットアンパッキング部と、
前記第１の３Ｄダウンミックス信号に第１の３Ｄレンダリングを行い、３Ｄ効果の除去されたダウンミックス信号を生成する第１の３Ｄレンダリング部と、
前記ダウンミックス信号に第２の３Ｄレンダリングを行い、第２の３Ｄダウンミックス信号を生成する第２の３Ｄレンダリング部と、
を有することを特徴とする復号化装置。
【請求項１０】
前記第２の３Ｄダウンミックス信号の生成に用いられるフィルタに関するフィルタ情報を保存する保存部をさらに有し、
前記第２の３Ｄレンダリング部は、前記フィルタ情報を用いて前記第２の３Ｄダウンミックス信号を生成する、請求項９に記載の復号化装置。
【請求項１１】
前記フィルタ情報は、ＨＲＴＦ係数に関する情報を含む、請求項１０に記載の復号化装置。
【請求項１２】
前記第２の３Ｄレンダリング部は、前記第１の３Ｄダウンミックス信号の生成に使用されたフィルタの特性と異なる特性を有するフィルタを用いて前記第２の３Ｄダウンミックス信号を生成する、請求項９に記載の復号化装置。
【請求項１３】
前記第２の３Ｄレンダリング部は、複数のフィルタのうち、前記第２の３Ｄダウンミックス信号生成に用いられるフィルタを決定する、請求項９に記載の復号化装置。
【請求項１４】
前記３Ｄダウンミックス信号生成に用いられる前記フィルタは、使用者の選択、復号化装置の性能、再生環境の特性及び要求される音質のうち少なくとも一つにより決定される、請求項１３に記載の復号化装置。
【請求項１５】
前記第１の３Ｄレンダリング部は、前記第１の３Ｄダウンミックス信号の生成に使用されたフィルタの逆変換フィルタを用いて前記ダウンミックス信号を生成する、請求項９に記載の復号化装置。
【手続補正書】
【提出日】平成22年4月7日(2010.4.7)
【手続補正１】
【補正対象書類名】特許請求の範囲
【補正対象項目名】全文
【補正方法】変更
【補正の内容】
【特許請求の範囲】
【請求項１】
信号を復号化する方法において、
３Ｄダウンミックス信号及び空間情報を受信する段階と、
前記３Ｄダウンミックス信号に３Ｄレンダリングを行い、前記３Ｄダウンミックス信号から３Ｄ効果を除去する段階と、
前記３Ｄ効果の除去されたダウンミックス信号と前記空間情報を用いてマルチチャンネル信号を生成する段階と、
を有することを特徴とする復号化方法。
【請求項２】
前記３Ｄ効果を除去する段階は、前記３Ｄダウンミックス信号の生成に使用されたフィルタの逆変換フィルタを用いて実行される、請求項１に記載の復号化方法。
【請求項３】
前記フィルタに関する情報は、入力ビットストリームから抽出される、請求項２に記載の復号化方法。
【請求項４】
前記３Ｄ効果を除去する段階は、前記３Ｄダウンミックス信号の生成に使用されたＨＲＴＦの逆変換関数を用いて実行される、請求項１に記載の復号化方法。
【請求項５】
前記ＨＲＴＦの係数に関する情報および前記ＨＲＴＦの逆変換関数の係数に関する情報のうちの少なくとも一方は、入力ビットストリームから抽出される、請求項４に記載の復号化方法。
【請求項６】
入力ビットストリームが前記３Ｄダウンミックス信号の生成に用いられるフィルタに関する情報を含むか否かを表す情報と、入力ビットストリームが前記フィルタの逆変換フィルタに関する情報を含むか否かを表す情報のうちの少なくとも一方を受信する段階をさらに有する、請求項１に記載の復号化方法。
【請求項７】
前記３Ｄレンダリングは、離散フーリエ変換（ＤＦＴ）ドメイン、高速フーリエ変換（ＦＦＴ）ドメイン、ＱＭＦ／ハイブリッドドメイン及び時間ドメインのうちいずれか一つで行われる、請求項１に記載の復号化方法。
【請求項８】
請求項１〜７のいずれか一項に記載された復号化方法を実行するためのコンピュータプログラムを記録した、コンピュータ読み取り可能な記録媒体。
【請求項９】
信号を復号化する装置において、
３Ｄダウンミックス信号及び空間情報を受信するビットアンパッキング部と、
前記３Ｄダウンミックス信号に３Ｄレンダリングを行い、前記３Ｄダウンミックス信号から３Ｄ効果を除去する３Ｄレンダリング部と、
前記３Ｄ効果の除去されたダウンミックス信号と前記空間情報を用いて、マルチチャンネル信号を生成するマルチチャンネルデコーダと、
を備えることを特徴とする復号化装置。
【請求項１０】
前記３Ｄレンダリング部は、前記３Ｄダウンミックス信号の生成に使用されたフィルタの逆変換フィルタを用いて前記３Ｄダウンミックス信号から前記３Ｄ効果を除去する、請求項９に記載の復号化装置。
【請求項１１】
前記フィルタに関する情報は、入力ビットストリームから抽出される、請求項１０に記載の復号化装置。
【請求項１２】
前記３Ｄレンダリング部は、前記３Ｄダウンミックス信号の生成に使用されたＨＲＴＦの逆変換関数を用いて前記３Ｄ効果を除去する、請求項９に記載の復号化装置。
【請求項１３】
前記ＨＲＴＦの係数に関する情報および前記ＨＲＴＦの逆変換関数の係数に関する情報のうちの少なくとも一方は、入力ビットストリームから抽出される、請求項１２に記載の復号化装置。
【請求項１４】
前記アンパッキング部は、入力ビットストリームが前記３Ｄダウンミックス信号の生成に用いられるフィルタに関する情報を含むか否かを表す情報と、入力ビットストリームが前記フィルタの逆変換フィルタに関する情報を含むか否かを表す情報のうちの少なくとも一方を受信する、請求項９に記載の復号化装置。
【請求項１５】
前記３Ｄレンダリングは、離散フーリエ変換（ＤＦＴ）ドメイン、高速フーリエ変換（ＦＦＴ）ドメイン、ＱＭＦ／ハイブリッドドメイン及び時間ドメインのうちいずれか一つで行われる、請求項９に記載の復号化装置。
【手続補正書】
【提出日】平成22年3月1日(2010.3.1)
【手続補正１】
【補正対象書類名】特許請求の範囲
【補正対象項目名】全文
【補正方法】変更
【補正の内容】
【特許請求の範囲】
【請求項１】
信号を復号化する方法において、
ダウンミックス信号とダウンミックス識別情報を受信する段階と、
前記ダウンミックス識別情報に基づいて、前記ダウンミックス信号が３Ｄレンダリングを行うことにより得られた信号か否かを決定する段階と、
前記ダウンミックス信号が前記３Ｄレンダリングを行うことにより得られた信号でない場合、前記ダウンミックス信号に３Ｄレンダリングを行い、３Ｄダウンミックス信号を生成する段階と、
を有することを特徴とする復号化方法。
【請求項２】
複数のチャンネルに関する空間情報と前記ダウンミックス信号を用いてマルチチャンネル信号を生成する段階をさらに有する、請求項１に記載の復号化方法。
【請求項３】
前記３Ｄダウンミックス信号を生成する段階は、ＨＲＴＦを用いる、請求項１に記載の復号化方法。
【請求項４】
前記ダウンミックス信号が前記３Ｄレンダリングを行うことにより得られた信号である場合、３Ｄレンダリングを行うことにより、前記ダウンミックス信号から３Ｄ効果を除去する段階をさらに有する、請求項１に記載の復号化方法。
【請求項５】
複数のチャンネルに関する空間情報と前記除去により得られたダウンミックス信号を用いてマルチチャンネル信号を生成する段階をさらに有する、請求項４に記載の復号化方法。
【請求項６】
前記３Ｄ効果を除去する段階は、前記ダウンミックス信号の生成に使用されたＨＲＴＦの逆変換関数を用いて行われる、請求項４に記載の復号化方法。
【請求項７】
前記３Ｄレンダリングは、ＤＦＴドメイン、ＦＦＴドメイン、ＱＭＦ／ハイブリッドドメイン及び時間ドメインのうちいずれか一つで行われる、請求項１に記載の復号化方法。
【請求項８】
請求項１〜請求項７の何れか一項に記載された復号化方法を実行するためのコンピュータプログラムを記録した、コンピュータで読み取り可能な記録媒体。
【請求項９】
信号を復号化する装置において、
ダウンミックス信号とダウンミックス識別情報を受信するビットアンパッキング部と、
前記ダウンミックス識別情報に基づいて、ダウンミックス信号が３Ｄレンダリングを行うことにより得られた信号か否かを決定し、前記ダウンミックス信号が前記３Ｄレンダリングを行うことにより得られた信号でない場合、前記ダウンミックス信号に３Ｄレンダリングを行い、３Ｄダウンミックス信号を生成する３Ｄレンダリング部と、
を有することを特徴とする復号化装置。
【請求項１０】
複数のチャンネルに関する空間情報と前記ダウンミックス信号を用いてマルチチャンネル信号を生成するマルチチャンネルデコーダをさらに有する、請求項９に記載の復号化装置。
【請求項１１】
前記３Ｄレンダリング部は、ＨＲＴＦを用いて前記ダウンミックス信号を生成する、請求項９に記載の復号化装置。
【請求項１２】
前記３Ｄレンダリング部は、前記ダウンミックス信号が前記３Ｄレンダリングを行うことにより得られた信号である場合、３Ｄレンダリングを行い、前記ダウンミックス信号から３Ｄ効果を除去する、請求項９に記載の復号化装置。
【請求項１３】
複数のチャンネルに関する空間情報と前記除去により得られたダウンミックス信号を用いてマルチチャンネル信号を生成するマルチチャンネルデコーダをさらに有する、請求項１２に記載の復号化装置。
【請求項１４】
前記３Ｄレンダリング部は、前記ダウンミックス信号の生成に使用されたＨＲＴＦの逆変換関数を用いて前記３Ｄ効果を除去する、請求項１２に記載の復号化装置。
【請求項１５】
前記３Ｄレンダリングは、ＤＦＴドメイン、ＦＦＴドメイン、ＱＭＦ／ハイブリッドドメイン及び時間ドメインのうちいずれか一つで行われる、請求項９に記載の復号化装置。